(57)【要約】【課題】分岐点付近で迷わない経路案内を行う。【解決手段】出発地から目的地までの経路を地図上に表示する地図表示システムであって、ユーザにより設定された検索条件に基づき、出発地から目的地までの経路を検索する検索手段と、前記検索手段により検索された経路に対応する地図情報を取得する取得手段と、前記取得手段により取得された地図情報に基づく地図上に、前記ユーザの現在地と、前記経路と、前記経路から所定の第１の範囲内にある施設の位置を指す表示部品とを表示する表示手段と、を有し、前記表示手段は、前記表示部品が前記経路と重ならず、かつ、前記施設の位置を指す方向が、前記経路の方向を向くように前記表示部品を表示する。【選択図】図２
2019132856.tif 000002
【特許請求の範囲】
【請求項１】
出発地から目的地までの経路を地図上に表示する地図表示システムであって、
ユーザにより設定された検索条件に基づき、出発地から目的地までの経路を検索する検索手段と、
前記検索手段により検索された経路に対応する地図情報を取得する取得手段と、
前記取得手段により取得された地図情報に基づく地図上に、前記ユーザの現在地と、前記経路と、前記経路から所定の第１の範囲内にある施設の位置を指す表示部品とを表示する表示手段と、
を有し、
前記表示手段は、
前記表示部品が前記経路と重ならず、かつ、前記施設の位置を指す方向が、前記経路の方向を向くように前記表示部品を表示する、地図表示システム。
【請求項２】
前記表示手段は、
前記ユーザの現在地が、前記経路に含まれる分岐点から所定の第２の範囲内となった場合、前記分岐点から前記第１の範囲内にある施設の位置を指す表示部品と、前記分岐点から前記第１の範囲内にある施設の注記とを強調して表示する、請求項１に記載の地図表示システム。
【請求項３】
前記表示手段は、
前記ユーザの現在地に応じて、前記表示部品の表示位置を更新する、請求項１又は２に記載の地図表示システム。
【請求項４】
前記表示手段は、
前記ユーザの現在地を中心として、前記施設の位置を指す方向が、前記ユーザの現在地の方向となるように、前記経路と重ならない範囲で前記表示部品を回転させることで、前記表示部品の表示位置を更新する、請求項３に記載の地図表示システム。
【請求項５】
前記表示手段は、
前記表示部品を、前記施設を示す施設情報として表示する、請求項１乃至４の何れか一項に記載の地図表示システム。
【請求項６】
前記表示手段は、
前記表示部品が前記経路と重ならず、かつ、前記施設の位置を指す方向が、前記ユーザの現在地の方向を向くように前記表示部品を表示する、請求項１乃至５の何れか一項に記載の地図表示システム。
【請求項７】
出発地から目的地までの経路を地図上に表示する地図表示システムに用いられる地図表示方法であって、
ユーザにより設定された検索条件に基づき、出発地から目的地までの経路を検索する検索手順と、
前記検索手順で検索された経路に対応する地図情報を取得する取得手順と、
前記取得手順で取得された地図情報に基づく地図上に、前記ユーザの現在地と、前記経路と、前記経路から所定の第１の範囲内にある施設の位置を指す表示部品とを表示する表示手順と、
を有し、
前記表示手順は、
前記表示部品が前記経路と重ならず、かつ、前記施設の位置を指す方向が、前記経路の方向を向くように前記表示部品を表示する、地図表示方法。
【請求項８】
出発地から目的地までの経路を地図上に表示するコンピュータを、
ユーザにより設定された検索条件に基づき、出発地から目的地までの経路を検索する検索手段、
前記検索手段により検索された経路に対応する地図情報を取得する取得手段、
前記取得手段により取得された地図情報に基づく地図上に、前記ユーザの現在地と、前記経路と、前記経路から所定の第１の範囲内にある施設の位置を指す表示部品とを表示する表示手段、
として機能させ、
前記表示手段は、
前記表示部品が前記経路と重ならず、かつ、前記施設の位置を指す方向が、前記経路の方向を向くように前記表示部品を表示する、プログラム。
【請求項９】
ネットワークを介して接続される経路探索装置において検索された経路を表示する経路表示装置であって、
地図情報に基づく地図上に、ユーザの現在地と、前記経路と、前記経路から所定の第１の範囲内にある施設の位置を指す表示部品とを表示する表示手段、
を有し、
前記表示手段は、
前記表示部品が前記経路と重ならず、かつ、前記施設の位置を指す方向が、前記経路の方向を向くように前記表示部品を表示する、経路表示装置。
【発明の詳細な説明】
【技術分野】
【０００１】
本発明は、地図表示システム、地図表示方法、プログラム、及び経路表示装置に関する。
【背景技術】
【０００２】
携帯電話やスマートフォン、カーナビゲーション等の端末装置において、地図を表示して、ユーザが所望する目的地までの経路案内を行う技術が従来から知られている。
【０００３】
また、経路案内において、経路に含まれる曲がり角付近に存在する施設の施設名を用いて、当該曲がり角において曲がるべき方向を案内する技術が知られている（例えば特許文献１参照）。
【先行技術文献】
【特許文献】
【０００４】
【特許文献１】特開２０１５−１５０２号公報
【発明の概要】
【発明が解決しようとする課題】
【０００５】
しかしながら、上記の従来技術では、例えば、経路に含まれるＴ字路や交差点等の分岐点付近に存在する施設の施設名を、ユーザが見落とす場合があった。したがって、経路に含まれる分岐点付近に存在する施設の施設名等は、ユーザが見落とさないように、強調表示等することが好ましい。
【０００６】
本発明の実施の形態は、上記の点に鑑みてなされたものであり、分岐点付近で迷わない経路案内を行うことを目的とする。
【課題を解決するための手段】
【０００７】
上記目的を達成するため、本発明の実施の形態は、出発地から目的地までの経路を地図上に表示する地図表示システムであって、ユーザにより設定された検索条件に基づき、出発地から目的地までの経路を検索する検索手段と、前記検索手段により検索された経路に対応する地図情報を取得する取得手段と、前記取得手段により取得された地図情報に基づく地図上に、前記ユーザの現在地と、前記経路と、前記経路から所定の第１の範囲内にある施設の位置を指す表示部品とを表示する表示手段と、を有し、前記表示手段は、前記表示部品が前記経路と重ならず、かつ、前記施設の位置を指す方向が、前記経路の方向を向くように前記表示部品を表示する。
【発明の効果】
【０００８】
本発明の実施の形態によれば、分岐点付近で迷わない経路案内を行うことができる。
【図面の簡単な説明】
【０００９】
【図１】本実施形態に係る地図表示システムの一例のシステム構成を示す図である。
【図２】経路案内画面を説明する図である。
【図３】本実施形態に係るクライアント端末及びサーバ装置の一例のハードウェア構成を示す図である。
【図４】本実施形態に係る地図表示システムの一例の機能構成を示す図である。
【図５】本実施形態に係る経路案内処理の一例のシーケンス図である。
【図６】経路案内画面の表示及び更新を説明する図である。
【図７】本実施形態に係る経路案内画面の更新処理の一例のフローチャートである。
【図８】施設アイコンの表示位置の更新を説明する図である。
【図９】経路案内画面の他の例を示す図である。
【発明を実施するための形態】
【００１０】
以下、本発明の実施形態について図面を参照しながら説明する。
【００１１】
＜システム構成＞
まず、本実施形態に係る地図表示システム１のシステム構成について、図１を参照しながら説明する。図１は、本実施形態に係る地図表示システムの一例のシステム構成を示す図である。
【００１２】
図１に示す地図表示システム１は、クライアント端末１０と、サーバ装置２０とを有し、インターネットや電話回線網等の広域的なネットワークＮを介して通信可能に接続されている。
【００１３】
クライアント端末１０は、ユーザが利用するスマートフォン、携帯電話、タブレット端末、ゲーム機器、ウェアラブル端末等の各種の情報処理装置である。
【００１４】
ユーザは、クライアント端末１０を操作して、所望の出発地や目的地等の検索条件を設定することで、サーバ装置２０において出発地から目的地までの経路を検索することができる。そして、クライアント端末１０は、検索された経路を地図（電子地図）上に表示させることで経路案内を行う。なお、経路には、出発地や目的地に加えて、出発地から目的地までの間に経由する交差点やＴ字路、各種施設等を示す経由地が含まれていても良い。
これにより、ユーザは、地図上に表示された経路に従って、出発地から目的地まで向かうことができるようになる。すなわち、本実施形態に係る地図表示システム１は、クライアント端末１０のユーザに対して、出発地から目的地までの経路案内を提供する。
【００１５】
サーバ装置２０は、経路を検索する情報処理装置である。サーバ装置２０は、クライアント端末１０においてユーザにより設定された検索条件に基づいて、出発地から目的地までの経路を検索する。そして、サーバ装置２０は、検索された経路を地図上に重畳してクライアント端末１０に表示させる。
【００１６】
また、サーバ装置２０は、検索された経路の周囲に存在する各種施設等を示すアイコン（施設アイコン）や注記（施設注記）をクライアント端末１０に表示させる。施設アイコンとしては、例えば、信号機等の地図表示記号、コンビニ、レストラン等のロゴマーク、ランドマーク等が挙げられる。施設注記としては、例えば、ビル名や店舗名等の地図に表示される名称、地名等が挙げられる。
【００１７】
このとき、クライアント端末１０は、ユーザの現在地（すなわち、当該クライアント端末１０の現在地）に応じて、経路に含まれる分岐点（例えば、Ｔ字路や交差点等）付近にある施設アイコンや施設注記を強調（例えば、拡大や点滅、色を変える等）して表示する。
【００１８】
したがって、クライアント端末１０のユーザは、経路に含まれる分岐点付近の施設を見落とすことなく、当該分岐点において正しい方向（目的地の方向）に進むことができるようになる。これにより、本実施形態に係る地図表示システム１では、Ｔ字路や交差点等の地図上の分岐点において、ユーザが迷うことのない経路案内を提供することができる。
【００１９】
ここで、本実施形態に係る地図表示システム１が提供する経路案内の一例について、図２を参照しながら説明する。図２は、経路案内画面を説明する図である。
【００２０】
図２に示す経路案内画面１０００は、出発地１１０１から目的地１１０２に向かうための経路１１０３が表示された画面である。経路１１０３には、分岐点１１１３、分岐点１１２３、及び分岐点１１３３が含まれている。なお、「分岐点」とは、上述したように、地図上のT字路や交差点等のことである。
【００２１】
また、経路案内画面１０００では、経路１１０３の付近（すなわち、経路１１０３の経路沿い）にある各種施設の施設アイコン１３００〜１７００及び施設注記１８００が表示される。なお、地図上の施設が施設アイコン又は施設注記のいずれで表されるかは、当該施設に応じて予め決定されている。
【００２２】
ここで、施設アイコンのうち、経路に含まれる分岐点１１１３、分岐点１１２３、及び分岐点１１３３付近にある施設アイコン（例えば、当該分岐点から所定の範囲内にある施設アイコン）を「分岐点アイコン」とも表す。同様に、施設注記のうち、経路に含まれる分岐点１１１３、分岐点１１２３、及び分岐点１１３３付近にある施設注記（例えば、当該分岐点から所定の範囲内にある施設注記）を「分岐点注記」とも表す。したがって、施設アイコン１３００〜１７００及び施設注記１８００のうち、施設アイコン１３００、施設アイコン１６００、及び施設注記１８００は、それぞれ「分岐点アイコン１３００」、「分岐点アイコン１６００」、及び「分岐点注記１８００」とも表す。
【００２３】
このとき、本実施形態に係るクライアント端末１０は、ユーザの現在地を示す現在地アイコン１２００が、経路に含まれる分岐点に近付いた場合、当該分岐点付近にある分岐点アイコン及び分岐点注記を強調して表示する。すなわち、例えば、現在地アイコン１２００が、経路に含まれる分岐点１１１３に近付いた場合、当該分岐点１１１３付近にある分岐点アイコン１３００及び分岐点注記１８００が拡大して表示される。このため、ユーザは、経路に含まれる分岐点付近にある施設を見落とすことなく、当該施設の位置関係や種類（例えば、飲食店であるか、コンビニであるか等）、名称（例えば、チェーン店の名称）等を知ることができる。
【００２４】
以上のように、本実施形態に係るクライアント端末１０は、ユーザが経路に含まれる分岐点（例えば、Ｔ字路や交差点等）に近付いた場合、当該分岐点付近にある施設を示すアイコンや注記等を強調して表示する。このため、本実施形態に係る地図表示システム１によれば、例えば、経路に含まれる分岐点においてユーザが誤った方向に進んでしまうような事態を防止することができる。すなわち、本実施形態に係る地図表示システム１によれば、分岐点付近で迷わない経路案内をユーザに提供することができる。
【００２５】
＜ハードウェア構成＞
次に、本実施形態に係る地図表示システム１に含まれるクライアント端末１０及びサーバ装置２０のハードウェア構成について、図３を参照しながら説明する。図３は、本実施形態に係るクライアント端末及びサーバ装置の一例のハードウェア構成を示す図である。
【００２６】
図３（ａ）に示すクライアント端末１０は、ＣＰＵ（Central Processing Unit）１１と、ＲＯＭ（Read Only Memory）１２と、ＲＡＭ（Random Access Memory）１３と、記憶装置１４とを有する。また、クライアント端末１０は、入力装置１５と、表示装置１６と、通信装置１７と、ＧＰＳ（Global Positioning System）受信機１８とを有する。
【００２７】
ＣＰＵ１１は、各種プログラムの実行や演算処理を行う。ＲＯＭ１２は、起動時に必要なプログラム等が記憶されている。ＲＡＭ１３は、ＣＰＵ１１での処理を一時的に記憶したり、データを記憶したりする作業エリアである。記憶装置１４は、各種データやプログラム等を記憶する。
【００２８】
入力装置１５は、例えばタッチパネル等であり、ユーザの各種操作を受け付ける。表示装置１６は、ディスプレイ等であり、クライアント端末１０の処理結果を表示する。通信装置１７は、ネットワークＮを介してサーバ装置２０と通信を行う。
【００２９】
ＧＰＳ受信機１８は、ＧＰＳから所定の電波を受信して、クライアント端末１０の現在の位置を示す緯度及び経度の測定を行う。
【００３０】
本実施形態に係るクライアント端末１０は、上記のハードウェア構成を有することにより、後述する各所処理を実現できる。
【００３１】
図３（ｂ）に示すサーバ装置２０は、ＣＰＵ２１と、ＲＯＭ２２と、ＲＡＭ２３と、記憶装置２４と、入力装置２５と、表示装置２６と、通信装置２７とを有する。
【００３２】
ＣＰＵ２１は、各種プログラムの実行や演算処理を行う。ＲＯＭ２２は、起動時に必要なプログラム等が記憶されている。ＲＡＭ２３は、ＣＰＵ２１での処理を一時的に記憶したり、データを記憶したりする作業エリアである。記憶装置２４は、各種データやプログラム等を記憶する。
【００３３】
入力装置２５は、例えばキーボードやマウス等であり、各種操作を受け付ける。表示装置２６は、ディスプレイ等であり、サーバ装置２０の処理結果を表示する。なお、入力装置２５及び表示装置２６の少なくとも一方は、必要なときにサーバ装置２０に接続して利用する形態であっても良い。通信装置２７は、ネットワークＮを介してクライアント端末１０と通信を行う。
【００３４】
本実施形態に係るサーバ装置２０は、上記のハードウェア構成を有することにより、後述する各種処理を実現できる。
【００３５】
＜機能構成＞
次に、本実施形態に係る地図表示システム１の機能構成について、図４を参照しながら説明する。図４は、本実施形態に係る地図表示システムの一例の機能構成を示す図である。
【００３６】
図４に示すクライアント端末１０は、入力受付部１０１と、表示処理部１０２と、現在地取得部１０３と、通信部１０４とを有する。これら各機能部は、クライアント端末１０にインストールされた１以上のプログラムが、ＣＰＵ１１に実行させる処理により実現される。
【００３７】
また、クライアント端末１０は、一時記憶部１０５を有する。当該記憶部は、例えば記憶装置１４を用いて実現可能である。
【００３８】
入力受付部１０１は、ユーザからの各種操作を受け付ける。例えば、入力受付部１０１は、出発地や目的地等の検索条件を設定するための入力操作を受け付ける。
【００３９】
表示処理部１０２は、各種の情報を表示する。例えば、表示処理部１０２は、経路案内の地図や当該地図上の経路、現在地アイコン、施設アイコン、施設注記等を表示すると共に、ユーザの現在地に応じて現在地アイコンや施設アイコン、施設注記等の表示を更新する。ここで、表示処理部１０２は、表示部１１２と、更新部１２２とを有する。
【００４０】
表示部１１２は、経路案内の地図や当該地図上の経路、現在地アイコン、施設アイコン、施設注記等を表示する。なお、表示部１１２は、地図や当該地図上の経路、施設アイコン、施設注記等を、例えば、複数のレイヤーにそれぞれ描画して、重畳させることにより表示する。
【００４１】
更新部１２２は、ユーザの現在地に応じて、地図上の現在地アイコンの位置（表示位置）や施設アイコンの位置（表示位置）を更新する。また、更新部１２２は、ユーザの現在地に応じて、分岐点アイコンや分岐点注記が強調して表示されるように更新する。
【００４２】
現在地取得部１０３は、ユーザの現在地（すなわち、クライアント端末１０のＧＰＳ受信機１８により測定された緯度及び経度）を取得する。
【００４３】
通信部１０４は、サーバ装置２０に対して各種要求を送信すると共に、当該要求に対する応答を受信する。例えば、通信部１０４は、検索条件を設定するための入力操作を入力受付部１０１が受け付けたことに応じて、サーバ装置２０に対して、当該検索条件を含む検索要求を送信する。また、例えば、通信部１０４は、当該検索要求に対する検索応答を受信する。
【００４４】
なお、検索応答には、例えば、表示部１１２により表示される地図に関する情報（地図情報）や当該地図上の経路に関する情報（経路情報）、施設アイコン、施設注記等が含まれる。
【００４５】
一時記憶部１０５は、検索応答に含まれる地図情報や経路情報、施設アイコン、施設注記を記憶する。したがって、上述した表示部１１２は、一時記憶部１０５に記憶されている地図情報や経路情報、施設アイコン、施設注記に基づいて、経路案内の地図や当該地図上の経路、施設アイコン、施設注記を表示する。同様に、上述した更新部１２２は、一時記憶部１０５に記憶されている施設アイコンや施設注記に基づいて、地図上の施設アイコンや施設注記の位置を更新すると共に、地図上の分岐点アイコンや分岐点注記が強調して表示されるように更新する。
【００４６】
なお、地図情報は、例えば、緑地や河川、道路、鉄道、都道府県等の表示対象の種類毎に分類され、緯度及び経度等が既知のメッシュ状に区切られた情報で管理されている。そして、表示対象の種類毎に分類された地図情報は、縮尺に応じて、当該種類毎に予め定められたレイヤーに、メッシュ毎に描画されることで表示される。したがって、クライアント端末１０に表示される地図は、表示対象の種類毎に分類された地図情報がそれぞれ描画されたメッシュ状のレイヤーを、１つ以上結合して重畳することにより表示される。
【００４７】
図４に示すサーバ装置２０は、検索処理部２０１と、情報取得部２０２と、通信部２０３とを有する。これら各機能部は、サーバ装置２０にインストールされた１以上のプログラムが、ＣＰＵ２１に実行させる処理により実現される。
【００４８】
また、サーバ装置２０は、情報記憶部２０４を有する。当該記憶部は、例えば記憶装置２４を用いて実現可能である。
【００４９】
検索処理部２０１は、クライアント端末１０から受信した検索要求に含まれる検索条件に基づいて経路を検索する。すなわち、検索処理部２０１は、例えば、検索条件に含まれる出発地から目的地までの経路であって、当該検索条件に含まれる経由地を経由する経路を検索して、当該経路を示す経路情報を取得する。
【００５０】
情報取得部２０２は、検索処理部２０１により検索された経路に対応する地図情報や施設アイコン、施設注記（例えば、経路を含む周囲の地図の地図情報、経路沿いにある施設の施設アイコンや施設注記）を情報記憶部２０４から取得する。
【００５１】
通信部２０３は、クライアント端末１０からの検索要求を受信すると共に、当該検索要求に対する検索応答を送信する。例えば、通信部２０３は、検索処理部２０１により取得された経路情報、情報取得部２０２により取得された地図情報や施設アイコン、施設注記等を含む検索応答をクライアント端末１０に送信する。
【００５２】
情報記憶部２０４は、クライアント端末１０に地図を表示させるための地図情報、地図上に表示される施設アイコンや施設注記を記憶する。なお、情報記憶部２０４は、地図上に表示される現在地アイコン等が記憶されていても良い。
【００５３】
＜処理の詳細＞
次に、本実施形態に係る地図表示システム１の処理の詳細について、図５を参照しながら説明する。図５は、本実施形態に係る経路案内処理の一例のシーケンス図である。
【００５４】
まず、クライアント端末１０の入力受付部１０１は、検索条件を設定するための入力操作を受け付ける（ステップＳ５０１）。ここで、検索条件には、例えば、ユーザが所望する目的地や出発地、経由地等が含まれる。
【００５５】
なお、出発地には、例えば、現在地取得部１０３により取得されたユーザの現在地（すなわち、クライアント端末１０のＧＰＳ受信機１８により測定された緯度及び経度）が用いられても良い。また、出発地には、例えば、Ｗｉ−Ｆｉ等の無線ＬＡＮの受信強度に基づき測定された現在地が用いられても良い。
【００５６】
クライアント端末１０の通信部１０４は、入力受付部１０１により検索条件を設定するための入力操作を受け付けると、検索要求をサーバ装置２０に送信する（ステップＳ５０２）。なお、検索要求には、ステップＳ５０１で設定された検索条件が含まれる。
【００５７】
サーバ装置２０の検索処理部２０１は、通信部２０３により検索要求を受信すると、当該検索要求に含まれる検索条件に基づいて経路を検索する（ステップＳ５０３）。すなわち、検索処理部２０１は、検索条件に含まれる出発地から目的地までの経路を検索して、検索結果として経路情報を取得する。なお、検索処理部２０１は、検索条件に経由地が含まれる場合は、当該検索条件に含まれる出発地から目的地までの経路であって、当該経由地を経由する経路を検索する。
【００５８】
次に、サーバ装置２０の情報取得部２０２は、検索処理部２０１により経路が検索されると、当該経路に対応する地図情報、施設アイコン、及び施設注記を情報記憶部２０４から取得する（ステップＳ５０４）。すなわち、情報取得部２０２は、当該経路を含む周囲の地図の地図情報と、当該経路沿いの施設（例えば、当該経路から所定の範囲内にある施設）の施設アイコンや施設注記を情報記憶部２０４から取得する。
【００５９】
次に、サーバ装置２０の通信部２０３は、情報取得部２０２により地図情報、施設アイコン、及び施設注記が取得されると、検索応答をクライアント端末１０に送信する（ステップＳ５０５）。なお、検索応答には、検索処理部２０１により取得された経路情報、並びに情報取得部２０２により取得された地図情報、施設アイコン、及び施設注記が含まれる。
【００６０】
クライアント端末１０の表示処理部１０２は、通信部１０４により検索応答を受信すると、当該検索応答に含まれる地図情報、経路情報、施設アイコン、及び施設注記を一時記憶部１０５に記憶させる（ステップＳ５０６）。
【００６１】
クライアント端末１０の表示処理部１０２は、表示部１１２により、一時記憶部１０５に記憶されている地図情報、経路情報、施設アイコン、及び施設注記に基づいて、経路案内を表示する（ステップＳ５０７）。
【００６２】
すなわち、表示部１１２は、一時記憶部１０５から地図情報、経路情報、施設アイコン、及び施設注記を取得する。そして、表示部１１２は、地図情報に基づく地図に、経路情報に基づく経路と、ユーザの現在地を示す現在地アイコンと、施設アイコンと、施設注記とを重畳して、例えば図６（ａ）に示す経路案内画面２０００を表示装置１６に表示させる。
【００６３】
なお、現在地アイコンは、サーバ装置２０の情報記憶部２０４から取得された上で、ステップＳ５０５の検索応答に含めてクライアント端末１０に送信されても良いし、クライアント端末１０の記憶領域（例えば、一時記憶部１０５）に予め記憶されていても良い。
【００６４】
図６（ａ）に示す経路案内画面２０００は、ユーザの現在地を出発地２１０１として、当該出発地２１０１から目的地２１０２に向かうための経路２１０３が表示された画面である。経路２１０３には、分岐点２１１３、分岐点２１２３、及び分岐点２１３３が含まれている。なお、経路案内画面２０００では、ユーザの現在地を示す現在地アイコン２２００が出発地２１０１と同一の位置に表示されている。
【００６５】
また、経路案内画面２０００では、経路２１０３の付近の施設の施設アイコン２３００〜２７００及び施設注記２８００が表示されている。なお、施設アイコン２３００、施設アイコン２６００、及び施設注記２８００は、「分岐点アイコン２３００」、「分岐点アイコン２６００」、及び「分岐点注記２８００」とも表す。
【００６６】
さらに、経路案内画面２０００において、各施設アイコン２３００〜２７００は、経路２１０３に重ならないように、かつ、当該施設アイコン２３００〜２７００の足が現在地アイコン２２００の位置の方向を向くように表示される。なお、施設アイコンの足とは、当該施設アイコンが示す施設の位置を指し示す三角形状の突起部分のことである。
【００６７】
このように、本実施形態に係る地図表示システム１では、クライアント端末１０において、ユーザにより出発地や目的地等を含む検索条件が設定されると、当該クライアント端末１０の表示装置１６に、例えば図６（ａ）に示す経路案内画面２０００を表示させる。このとき、クライアント端末１０の表示装置１６に表示される経路案内画面では、経路沿いの施設の施設アイコンが、経路に重ならないように、かつ、当該施設アイコンの足がユーザの現在地の方向を向くように表示される。
【００６８】
すなわち、本実施形態に係る地図表示システム１では、経路に従ってユーザが目的地に向かう際に目印となるのに必要な施設（経路沿いにある施設）の施設アイコンや施設注記をクライアント端末１０に表示する。一方で、本実施形態に係る地図表示システム１では、経路沿いに存在しない不要な施設の施設アイコンはクライアント端末１０に表示しないようにする。これにより、目的地に向かう際に目印となるのに必要な施設の施設アイコンや施設注記をユーザが見落とすような事態を防止することができる。
【００６９】
ここで、図６（ａ）に示す経路案内画面２０００において、クライアント端末１０のユーザが移動した場合、クライアント端末１０は、当該経路案内画面２０００を、例えば図６（ｂ）に示す経路案内画面３０００に更新する。
【００７０】
図６（ｂ）に示す経路案内画面３０００は、クライアント端末１０のユーザが出発地２１０が示す位置から現在地アイコン２２００が示す位置まで移動した場合における表示される画面である。すなわち、図６（ｂ）に示す経路案内画面３０００は、ユーザの現在位置が、経路２１０３に含まれる分岐点２１１３に近付いた場合（分岐点２１１３から所定の範囲に到達した場合）に表示される画面である。
【００７１】
このとき、図６（ｂ）に示す経路案内画面３０００では、施設アイコン２３００〜２７００の足が現在地アイコン２２００の位置の方向を向くように表示されると共に、分岐点２１１３付近の分岐点アイコン２３００及び分岐点注記２８００が拡大して表示される。これにより、クライアント端末１０のユーザは、分岐点２１１３に近付いた場合に、当該分岐点２１１３付近にある施設を見落とすことなく、容易に認識することができると共に、当該施設の位置関係を把握することができるようになる。
【００７２】
したがって、本実施形態に係る地図表示システム１は、ユーザが分岐点に近付いた場合に、当該分岐点（例えば、Ｔ字路や交差点等）付近にある施設を強調して表示することで、分岐点においてユーザが迷うことのない経路案内を提供することができる。
【００７３】
なお、図６（ｂ）に示す経路案内画面３０００では、強調表示の一例として、施設アイコンが拡大して表示される場合を示したが、これに限られない。強調表示は、例えば、施設アイコンの点滅や動的なアニメーションによる表示、色を変える等であっても良い。
【００７４】
また、本実施形態では、上記のステップＳ５０４で、経路沿いの施設アイコン及び施設注記を情報記憶部２０４から取得したが、これに限られず、例えば、検索された経路に対応する地図情報に基づく地図上のすべての施設アイコン及び施設注記を取得しても良い。この場合、ステップＳ５０７で、クライアント端末１０において、経路沿いの施設アイコン及び施設注記のみを表示するようにすれば良い。
【００７５】
ここで、ユーザの移動により経路案内画面が更新される場合（すなわち、例えば、図６（ａ）に示す経路案内画面２０００において、ユーザの移動により、図６（ｂ）に示す経路案内画面３０００が表示される場合）の処理について、図７を参照しながら説明する。図７は、本実施形態に係る経路案内画面の更新処理の一例のフローチャートである。なお、以降で説明する経路案内画面の更新処理は、所定の時間（例えば、数ミリ秒乃至数秒）毎に実行される。
【００７６】
まず、クライアント端末１０の現在地取得部１０３は、ユーザの現在地（すなわち、クライアント端末１０のＧＰＳ受信機１８により測定された緯度及び経度）を取得する（ステップＳ７０１）。
【００７７】
次に、クライアント端末１０の表示処理部１０２は、更新部１２２により、地図上におけるユーザの現在地を示す現在地アイコンの位置（表示位置）を更新する（ステップＳ７０２）。すなわち、更新部１２２は、地図上における現在地アイコンの表示位置を、ステップＳ７０１で取得された現在地に対応する位置となるように更新する。
【００７８】
次に、クライアント端末１０の表示処理部１０２は、更新部１２２により、ステップＳ７０２で更新された現在地アイコンの位置に応じて、地図上に表示される施設アイコンの位置を更新する（ステップＳ７０３）。
【００７９】
ここで、施設アイコンの表示位置の更新について、図８を参照しながら説明する。図８は、施設アイコンの表示位置の更新を説明する図である。図８に示すように、現在地アイコンＰが位置Ｑにあるとき、施設Ｒを示す施設アイコンＡの表示位置は、当該施設アイコンＡの足が位置Ｑの方向を向くような位置で表示される。
【００８０】
このとき、現在地アイコンＰが位置Ｑから位置Ｑ´に移動した場合、施設Ｒを示す施設アイコンＡの表示位置は、当該施設アイコンＡの足が位置Ｑ´の方向を向くように回転させることにより更新される。なお、施設アイコンＡの表示位置を更新した結果、当該施設アイコンＡが経路に重なる場合には、例えば、施設アイコンＡの表示位置は、経路と重ならない範囲で回転させることにより更新される。
【００８１】
このように、地図上の各施設アイコンの表示位置は、各施設アイコンの足が現在地アイコンの方向を向くように更新される。これにより、各施設アイコンの足が現在地アイコンを中心として放射状に表示されるため、各施設の位置関係を把握し易い経路案内を提供することができるようになる。
【００８２】
図７に戻る。ステップＳ７０３に続いて、クライアント端末１０の表示処理部１０２は、更新部１２２により、ステップＳ７０２で更新された現在地アイコンの位置から所定の範囲内に、分岐点アイコン又は分岐点注記があるか否かを判定する（ステップＳ７０４）。すなわち、更新部１２２は、ステップＳ７０２で更新された現在地アイコンの位置が、経路の分岐点に近付いたか否かを判定する。
【００８３】
ステップＳ７０４において、現在地アイコンの位置から所定の範囲内に分岐点アイコン又は分岐点注記があると判定された場合、更新部１２２は、当該所定の範囲内にある分岐点アイコン又は／及び分岐点注記が強調表示されるように更新する（ステップＳ７０５）。すなわち、更新部１２２は、現在地アイコンから所定の範囲内にある分岐点アイコンや分岐点注記が、例えば拡大して表示されるように当該分岐点アイコンや分岐点注記の表示サイズ等を更新する。
【００８４】
なお、上述したように、更新部１２２により更新される分岐点アイコンや分岐点注記の強調表示の態様は、拡大表示に限られない。更新部１２２は、例えば、分岐点アイコンや分岐点注記が点滅して表示されるように更新しても良いし、アニメーションにより動的に表示されるように更新しても良い。このように、強調表示の態様は、分岐点アイコンや分岐点注記が目立つように表示される態様であれば良く、種々の表示対象が挙げられる。
【００８５】
また、更新部１２２は、現在地アイコンの位置に応じて、分岐点アイコンや分岐点注記の強調表示の態様が異なるようにしても良い。例えば、現在地アイコンと分岐点アイコンとが５００ｍ以内にある場合、当該分岐点アイコンを２倍の大きさで表示するようにする一方、現在地アイコンと分岐点アイコンとが１００ｍ以内にある場合、当該分岐点アイコンを４倍の大きさで表示するようにしても良い。
【００８６】
次に、クライアント端末１０の表示処理部１０２は、表示部１１２により、更新された現在地アイコン、施設アイコン、及び施設注記に基づいて、経路案内を表示する（ステップＳ７０６）。すなわち、表示部１１２は、更新された現在地アイコン、施設アイコン、及び施設注記を、地図上に重畳して表示させる。
【００８７】
なお、上記のステップＳ７０１で取得した現在地に対応する地図情報が一時記憶部１０５に記憶されていない場合、当該現在地に対応する地図情報の取得をサーバ装置２０に要求すれば良い。すなわち、ユーザが一時記憶部１０５に記憶されている地図情報に基づく地図の外に移動した場合には、移動後の現在地に対応する地図情報をサーバ装置２０から取得すれば良い。
【００８８】
以上のように、本実施形態に係るクライアント端末１０では、当該クライアント端末１０のユーザの移動に応じて、施設アイコンの足がユーザの現在位置の方向を向くように表示すると共に、分岐点付近の施設アイコンや施設注記を強調表示する。これにより、本実施形態に係るクライアント端末１０では、地図上の各施設の位置関係を容易に把握することができると共に、Ｔ字路や交差点等の分岐点においてもユーザが迷うことのない経路案内を提供することができる。
【００８９】
ここで、本実施形態に係る地図表示システム１により提供される経路案内画面の他の例について、図９を参照しながら説明する。図９は、経路案内画面の他の例を示す図である。
【００９０】
図９に示す経路案内画面４０００には、図６（ａ）に示した経路案内画面２０００と同様に、出発地２１０１から目的地２１０２に向かうための経路２１０３が表示されている。また、同様に、当該経路２１０３の付近の施設の施設アイコン２３００〜２７００及び施設注記２８００が表示されている。
【００９１】
このとき、図９に示す経路案内画面４０００では、分岐点アイコン２３００が示す施設の家形枠２３１０、分岐点アイコン２６００が示す施設の家形枠２６１０、及び施設注記２８００が示す施設の家形枠２８１０が表示される。このように、図９に示す経路案内画面４０００では、経路の分岐点付近にある施設の家形枠を表示する。
【００９２】
これにより、ユーザは、分岐点アイコンや分岐点注記が示す施設の位置関係と共に、当該施設の形状を知ることができる。このため、Ｔ字路や交差点等の分岐点において、施設の位置関係に加えて、施設の形状を把握することができるため、Ｔ字路や交差点等の分岐点においてもユーザが迷うことのない経路案内を提供することができる。
【００９３】
なお、図９に示す経路案内画面４０００では、経路２１０３に含まれる分岐点２１２３付近には分岐点アイコン及び分岐点注記が表示されていない。これは、分岐点２１２３付近には、施設アイコンや施設注記が表示される施設が存在しないためである。このような場合において、例えば、経路２１０３に含まれる分岐点２１２３付近に一般住宅等がある場合には、当該一般住宅等の家形枠を強調表示させても良い。
【００９４】
これにより、例えば、施設アイコンや施設注記が表示される施設（例えば、商業施設等）が分岐点付近に存在しない場合においても、ユーザは、一般住宅等の家形枠を参考にすることができるため、ユーザが迷うことのない経路案内を提供することができる。
【００９５】
＜まとめ＞
以上のように、本実施形態に係る地図表示システム１は、ユーザに対して、目的地までの経路案内を提供する。しかも、本実施形態に係る地図表示システム１は、経路に含まれる分岐点（例えば、Ｔ字路や交差点等）にユーザが近付いた場合、当該分岐点付近にある施設を示す施設アイコンや施設注記を強調して表示する。このため、ユーザは、経路の分岐点付近にある施設の位置関係や施設の種類、名称等を把握することができ、例えば分岐点を誤った方向に進んでしまうといった事態を防止することができる。
【００９６】
このように、本実施形態に係る地図表示システム１は、経路の分岐点付近においてユーザが進むべき方向を迷わない経路案内を提供することができる。
【００９７】
なお、本実施形態では、経路の分岐点付近にある施設の施設アイコンや施設注記を強調表示したが、例えば、施設アイコンや施設注記を強調表示する施設の種類を絞り込めるようにしても良い。これにより、例えば、施設の種類として「コンビニ」が設定された場合には、経路の分岐点付近にある施設のうち、コンビニを示す施設の施設アイコンや施設注記を強調表示することができるようになる。
【００９８】
また、分岐点の角の位置にある施設であることを示す角情報が対応付けられた施設データをサーバ装置２０の情報記憶部２０４に記憶しておき、サーバ装置２０の情報取得部２０２は、角情報に基づいて、分岐点の角の位置にある施設の施設アイコンや施設注記を情報記憶部２０４から取得するようにしても良い。これにより、サーバ装置２０の情報取得部２０２は、角情報に基づいて、分岐点付近にある施設の施設アイコンや施設注記を容易に取得することができるようになる。
【００９９】
また、本実施形態において、ユーザは、図２に示す経路案内画面１０００と、当該経路案内画面１０００とは異なる表示態様の経路案内画面とを切り替えることができても良い。ここで、当該異なる表示態様の経路案内画面には、経路案内画面１０００とは異なる表示態様で分岐点注記や分岐点アイコンが強調表示（例えば、点滅やアニメーション等）される画面に限られず、分岐点注記や分岐点アイコンが強調表示されない画面も含まれる。なお、切り替え操作は、ユーザが画面上に表示された所定の表示部品をタップ操作等して切り替える方法等が挙げられる。これにより、様々な表示態様で分岐点付近の施設アイコンや施設注記が表示される経路案内画面をユーザに提供することができるようになる。
【０１００】
本発明は、具体的に開示された上記の実施形態に限定されるものではなく、特許請求の範囲から逸脱することなく、種々の変形や変更が可能である。
【符号の説明】
【０１０１】
１        地図表示システム
１０      クライアント端末
２０      サーバ装置
１０１    入力受付部
１０２    表示処理部
１０３    現在地取得部
１０４    通信部
１０５    一時記憶部
１１２    表示部
１２２    更新部
２０１    検索処理部
２０２    情報取得部
２０３    通信部
２０４    情報記憶部
Ｎ        ネットワーク
【図１】
2019132856.tif 000003
【図２】
2019132856.tif 000004
【図３】
2019132856.tif 000005
【図４】
2019132856.tif 000006
【図５】
2019132856.tif 000007
【図６】
2019132856.tif 000008
【図７】
2019132856.tif 000009
【図８】
2019132856.tif 000010
【図９】
2019132856.tif 000011